(57)【要約】【課題】材質の異なる幅広い衣料に対して、洗濯することにより、優れた肌触り、柔軟性を付与する洗浄剤組成物を提供する。【解決手段】（ａ）カルボキシ変性シリコーン化合物及び（ｂ）特定の一般式（ｂ１）で表されるアミン化合物又はその酸塩を含有する洗浄剤組成物。【選択図】なし【特許請求の範囲】
【請求項１】
（ａ）カルボキシ変性シリコーン化合物及び（ｂ）下記一般式（ｂ１）で表されるアミン化合物又はその酸塩を含有する洗浄剤組成物。
【化１】
2007197687.tif 000007
〔式中、Ｒ1bは炭素数１４〜２２の炭化水素基であり、Ｒ2bは炭素数１〜５のアルキレン基であり、Ｘは−ＣＯＯ−、−ＣＯＮＲ5b−、−ＯＣＯ−、−ＮＲ5bＣＯ−から選ばれる基である。ここで、Ｒ5bは水素原子、又は炭素数１〜３のアルキル基もしくはヒドロキシアルキル基である。Ｒ3b、Ｒ4bは、それぞれ炭素数１〜３のアルキル基もしくはヒドロキシアルキル基、又はＲ1b−Ｘ−Ｒ2b−である。〕
【請求項２】
組成物中に、（ａ）成分を０．０５〜１０質量％含有する請求項１記載の洗浄剤組成物。
【請求項３】
組成物中に、（ｂ）成分を０．１〜１０質量％含有する請求項１又は２記載の洗浄剤組成物。
【請求項４】
（ａ）成分と（ｂ）成分との質量比が、（ａ）／（ｂ）＝１／１０〜１０／１である請求項１〜３の何れか１項記載の洗浄剤組成物。
【請求項５】
更に、（ｃ）成分として、（ｂ）成分以外の界面活性剤を含む請求項１〜４の何れか１項記載の洗浄剤組成物。
【請求項６】
（ｃ）成分中に、−ＳＯ3Ｍ基、および／または−ＯＳＯ3Ｍ基〔Ｍ：対イオン〕を有する陰イオン界面活性剤（ｃ−ｉ）を含有する請求項５記載の洗浄剤組成物。
【請求項７】
（ｂ）成分と（ｃ−ｉ）成分の比率が、モル比で（ｂ）／（ｃ−ｉ）＝０．３０〜９．０である請求項６記載の洗浄剤組成物。
【請求項８】
（ｃ）成分中、下記一般式（ｃ１）で表されるポリオキシアルキレンアルキルエーテル（ｃ−ii）を１０質量％以上の割合で含む請求項５〜７の何れか１項記載の洗浄剤組成物。
Ｒ8-Ｏ-（Ｒ9Ｏ）n-Ｈ      （ｃ１）
（式中、Ｒ8は炭素数８〜２２のアルキル基、Ｒ9は炭素数２〜３のアルキレン基、ｎはオキシアルキレン基の平均付加モル数を示す３〜３０の数であり、ｎ個のＲ9は同一でも異なっていても良い。）
【請求項９】
ＪＩＳ  Ｋ３３６２：１９９８記載の界面活性剤相当分が１０〜６０質量％である請求項１〜８記載の洗浄剤組成物。
【請求項１０】
ＪＩＳ  Ｋ３３６２：１９９８記載の方法による２０℃におけるｐＨが、組成物が粉末もしくは固体の場合、０．１質量％水溶液のｐＨが６〜１０、液体の場合、原液のｐＨが６〜１０である請求項１〜９の何れか１項記載の洗浄剤組成物。
【発明の詳細な説明】
【技術分野】
【０００１】
本発明は、洗浄剤組成物に関する。
【背景技術】
【０００２】
従来、ウール・ドライマーク衣料用洗剤、いわゆる軽質洗剤は、ニット製品、主にウールのセーターに使用されてきた。しかし近年、この軽質洗剤で洗濯することで洗濯時の形崩れを低減できることから、ウールのセーターだけではなく、化繊・木綿のカットソーやパンツなどのおしゃれ着、更にはブラジャーやショーツなどの肌着まで幅広く使われるようになってきている。
【０００３】
一方、軽質洗剤では、洗濯物を干すとき及び着用時の肌触りや柔軟性が要求される。肌触り・柔軟性を発現させる基剤としては、陽イオン界面活性剤やアミノ変性シリコーン化合物が一般的に使われている。これら基剤の性能は、ウール素材に対してはアミノ変性シリコーン化合物が、化繊や木綿素材に対しては陽イオン界面活性剤の効果が高い。
【０００４】
軽質洗剤の使用実態を考慮して、ウール・化繊・木綿それぞれの素材に対して肌触り・柔軟性を発現させる場合、陽イオン界面活性剤とアミノ変性シリコーン化合物を併用することが考えられる。しかし、この２剤を併用して洗濯した場合、アミノ変性シリコーン化合物を配合した洗剤に比べ、化繊・木綿の柔軟性は向上するものの、ウールは硬い仕上がりになってしまい、使用者の要求を十分に満足することはできない。
【０００５】
更に、陽イオン界面活性剤と他の変性シリコーンを併用することも提案されている。例えば、特許文献１には、非イオン界面活性剤、第４級アンモニウム塩型陽イオン界面活性剤、カルボキシル変性ポリシロキサンを含有する洗浄剤組成物が開示されている。更に、陽イオン界面活性剤と他の変性シリコーンを併用することも提案されている。例えば、特許文献１には、非イオン界面活性剤、第４級アンモニウム塩型陽イオン界面活性剤、カルボキシル変性ポリシロキサンを含有する洗浄剤組成物が開示されている。また、特許文献２には、アニオン性基を有するオルガノポリシロキサンと陽イオン界面活性剤とを含有し、繊維にも適用可能な水性エマルジョンが開示されているが、十分な性能を示さない。
【特許文献１】特開２０００−１７８５９８号
【特許文献２】特開２００２−１１４９０８号
【発明の開示】
【発明が解決しようとする課題】
【０００６】
本発明の課題は、ウール・ドライマーク衣料から、化繊・木綿のカットソーやパンツなどのおしゃれ着、更にはブラジャーやショーツなどの肌着まで、材質の異なる幅広い衣料に対して、洗濯することにより、優れた肌触り、柔軟性を付与する洗浄剤組成物を提供することにある。
【課題を解決するための手段】
【０００７】
本発明は、（ａ）カルボキシ変性シリコーン化合物〔以下、（ａ）成分という〕及び（ｂ）下記一般式（ｂ１）で表されるアミン化合物又はその酸塩〔以下、（ｂ）成分という〕を含有する洗浄剤組成物に関する。
【０００８】
【化２】
2007197687.tif 000002
【０００９】
〔式中、Ｒ1bは炭素数１４〜２２の炭化水素基であり、Ｒ2bは炭素数１〜５のアルキレン基であり、Ｘは−ＣＯＯ−、−ＣＯＮＲ5b−、−ＯＣＯ−、−ＮＲ5bＣＯ−から選ばれる基である。ここで、Ｒ5bは水素原子、又は炭素数１〜３のアルキル基もしくはヒドロキシアルキル基である。Ｒ3b、Ｒ4bは、それぞれ炭素数１〜３のアルキル基もしくはヒドロキシアルキル基、又はＲ1b−Ｘ−Ｒ2b−である。〕
【発明の効果】
【００１０】
本発明の洗浄剤組成物は、洗濯によりウール素材から化繊・木綿素材まで幅広い衣料に優れた肌触り・柔軟性を付与できる。そのため、洗濯物を干す時・たたむ時の肌触り、更には着用時の着心地を向上できる。
【発明を実施するための最良の形態】
【００１１】
＜（ａ）成分＞
本発明に用いるカルボキシ変性シリコーンは、官能基としてカルボキシル基を有していれば、特に限定されるものではない。また、カルボキシル基が導入されていれば、他の官能基も導入されていても、何ら問題はない。
【００１２】
カルボキシ変性シリコーンの分子量は、特に限定されるものではないが、肌触り・柔軟性向上の理由から好ましくは２５℃における粘度換算で１００〜１００万ｍＰａ・ｓ、より好ましくは５００〜１０，０００ｍＰａ・ｓ、更に好ましくは、１０００〜５０００ｍＰａ・ｓである。粘度は、測定試料の粘度（25℃）が100,000ｍＰａ・ｓ未満の場合、Ｂ型粘度計（東京計器（株）ＤＶＭ−Ｂ）で測定し、測定試料の粘度（25℃）が100,000ｍＰａ・ｓ以上の場合はＥ型粘度計（東機産業（株）ＲＥ８０Ｌ）で測定する。
【００１３】
また、（ａ）成分のカルボキシル基当量は、特に限定されるものではないが、肌触り、柔軟性の観点から、好ましくは１００〜１００，０００ｇ／ｍｏｌ、より好ましくは５００〜１０，０００ｇ／ｍｏｌ、更に好ましくは１，０００〜５，０００ｇ／ｍｏｌである。尚、カルボキシル基当量は、カルボキシル基１個当りのカルボキシ変性シリコーンの分子量を表すものである。このカルボキシル基当量は、カルボキシル基当量＝カルボキシル基変性シリコーンの分子量／カルボキシル気変性シリコーンの分子量（１モル）当たりのカルボキシル基の個数（モル数）により算出されるものである。
【００１４】
カルボキシ変性シリコーン化合物としては、信越化学工業社製「Ｘ−２２−３７０１Ｅ」、東レダウシリコーン社製「ＢＹ１６−８８０」ＢＹ１６−７５０等の市販品を使用することができる。
【００１５】
＜（ｂ）成分＞
本発明の洗浄剤組成物は、優れた柔軟効果を維持する観点から、下記一般式（ｂ１）で表されるアミン化合物又はその酸塩を含有する。
【００１６】
【化３】
2007197687.tif 000003
【００１７】
〔式中、Ｒ1bは炭素数１４〜２２の炭化水素基、好ましくはアルキル基又はアルケニル基であり、Ｒ2bは炭素数１〜５のアルキレン基であり、Ｘは−ＣＯＯ−、−ＣＯＮＲ5b−、−ＯＣＯ−、−ＮＲ5bＣＯ−から選ばれる基である。ここで、Ｒ5bは水素原子、又は炭素数１〜３のアルキル基もしくはヒドロキシアルキル基である。Ｒ3b、Ｒ4bは、それぞれ炭素数１〜３のアルキル基もしくはヒドロキシアルキル基、又はＲ1b−Ｘ−Ｒ2b−である。〕
【００１８】
（ｂ）成分の具体例としては、ミリスチルアミドプロピルジメチルアミン、パルミチルアミドプロピルジメチルアミン、ステアリルアミドプロピルジメチルアミン、ベヘニルアミドプロピルジメチルアミン、オレイルアミドプロピルジメチルアミン、パルミチルアミドプロピルジエタノールアミン、ステアリルアミドプロピルジエタノールアミン等の脂肪族アミドアルキル三級アミン及びそれらの塩、パルミテートエステルプロピルジメチルアミン、ステアレートエステルプロピルジメチルアミン等の脂肪族エステルアルキル三級アミン及びそれらの塩等が挙げられ、これらの中でもミリスチルアミドプロピルジメチルアミン、パルミチルアミドプロピルジメチルアミン、ステアリルアミドプロピルジメチルアミン、ベヘニルアミドプロピルジメチルアミン、オレイルアミドプロピルジメチルアミン、及びこれらの塩が好ましく、特にはステアリルアミドプロピルジメチルアミン及びその塩が好ましい。
【００１９】
（ｂ）成分のうち、上記アミン化合物の酸塩としては、有機酸又は無機酸による塩が挙げられ、有機酸としては、酢酸、クエン酸、リンゴ酸等を、無機酸としては、塩酸、硫酸、硝酸等を挙げることができる。アミン化合物の酸塩は、未中和のアミン化合物が組成物中で他の成分により中和されたものであってもよい。組成物中には、アミン化合物（未解離の化合物）、アミン化合物の酸塩（アミン化合物のカチオン部分と対アニオン部分）が混在してもよい。
【００２０】
本発明の洗浄剤組成物中の（ａ）成分の含有量は、肌触り・柔軟性と洗浄力の点で、０．０５〜１０質量％、更に０．１〜５質量％、更に０．２〜３質量％、特に０．４〜２質量％が好ましい。
【００２１】
なお、本発明の洗浄剤組成物は、（ａ）成分以外のシリコーン化合物を含有することができるが、全シリコーン化合物中の（ａ）成分の割合は、６０質量％以上、更に７０質量％以上、特に９０質量％以上が好ましい。他のシリコーン化合物としては、例えば、アミノ変性シリコーン化合物、アルキル変性シリコーン化合物、エポキシ変性シリコーン化合物などを挙げることができる。
【００２２】
本発明の洗浄剤組成物中の（ｂ）成分の含有量は、肌触り・柔軟性と洗浄力の点で、０．１〜１０質量％、更に０．２〜５質量％、特に０．３〜３質量％が好ましい。
【００２３】
また、本発明の洗浄剤組成物では、（ａ）成分と（ｂ）成分との質量比が、（ａ）／（ｂ）＝１／１０〜１０／１であることが好ましく、８／１〜１／８がより好ましく、５／１〜１／５が更に好ましく、２／１〜１／２が特に好ましい。
【００２４】
＜（ｃ）成分＞
本発明の洗浄剤組成物は、他の界面活性剤、即ち（ｂ）成分以外の界面活性剤（以下、（ｃ）成分という）を含有することができる。（ｃ）成分としては、非イオン界面活性剤、陰イオン界面活性剤、陽イオン界面活性剤、両性界面活性剤等が挙げられる。
【００２５】
非イオン界面活性剤としては、ポリオキシアルキレンアルキルエーテル、ポリオキシアルキレンアルキルフェニルエーテル、ポリオキシアルキレンソルビタン脂肪酸エステル、ポリオキシアルキレングリコール脂肪酸エステル、ポリオキシエチレンポリオキシプロピレンブロックポリマー、脂肪酸アルカノールアミド、アルキルポリグリコシド、ポリヒドロキシ脂肪酸アミド等が挙げられ、特に、ポリオキシアルキレンアルキルエーテルが好ましい。
【００２６】
陰イオン界面活性剤としては、炭素数１０〜２２、好ましくは１０〜１８のアルキル鎖を持つ直鎖アルキルベンゼンスルホン酸、炭素数１０〜２２、好ましくは１０〜１８のアルキル硫酸エステル、ポリオキシアルキレンアルキル（炭素数１０〜２２、好ましくは１０〜１８）エーテル硫酸エステル、アルファスルホ脂肪酸（炭素数１０〜２２、好ましくは１０〜１８）アルキル（例えばメチル）エステル、炭素数８〜２０の脂肪酸等、及びこれらの塩が好ましい。
【００２７】
陰イオン界面活性剤の対イオンとしては、ナトリウム、カリウム等のアルカリ金属、マグネシウム等のアルカリ土類金属、モノ、ジ、トリエタノールアミン等のアルカノールアミン等が挙げられるが、特にアルカノールアミン塩を用いることで液安定性が向上することから好適である。
【００２８】
また、更に被洗浄物などの柔軟性を向上させるためには、陽イオン界面活性剤を、添加しても良い。陽イオン界面活性剤としては、モノ、ジ、もしくはトリ中〜長鎖アルキル又はアルケニル型第４級アンモニウム塩、第３級アミン塩、イミダゾリン塩、イミダゾリニウム塩、アミノ酸系陽イオン界面活性剤等から選ばれる１種又は２種以上が好適に使用される。この中〜長鎖アルキル又はアルケニル基は、炭素数８〜２８、好ましくは炭素数８〜２２の直鎖又は分岐鎖であってもよく、−Ｏ−、−ＣＯＮＨ−、−ＣＯＯ−等のエーテル基、エステル基もしくはアミド基で分断、又は−ＯＨ等で置換されていてもよい。
【００２９】
その対となるアニオンは特に限定されず、塩素、ヨウ素、臭素等のハロゲンイオン；メトサルフェート、エトサルフェート、メトフォスフェート、エトフォスフェート等の有機アニオンが挙げられる。
【００３０】
陽イオン界面活性剤の好ましい具体例として、ジステアリルジメチルアンモニウムクロライド、ステアリルトリメチルアンモニウムクロライド、カプリルトリメチルアンモニウムクロライド、ミリスチルトリメチルアンモニウムクロライド、セチルトリメチルアンモニウムクロライド、ベヘニルトリメチルアンモニウムクロライド、ラウリルトリメチルアンモニウムクロライド、Ｎ−ステアリル−Ｎ，Ｎ，Ｎ−トリ（ポリオキシエチレン）アンモニウムクロライド（エチレンオキサイド合計３モル付加）、セチルベンジルジメチルアンモニウムクロライド、セチルトリエチルアンモニウムブロマイド、ヘキサデシルオクタデシルジメチルアンモニウムクロライドや、その他アルキル（アルキル基の炭素数８〜２８）ジメチルベンジルアンモニウム塩、ジアルキル（アルキル基の炭素数８〜２８）メチルヒドロキシエチルアンモニウム塩等が挙げられる。
【００３１】
両性界面活性剤としてアルキルカルボベタイン、アルキルアミドプロピルアミンオキサイド、アルキルスルホベタイン、アルキルアミドヒドロキシスルホベタイン、アルキルアミドアミン型ベタイン及びアルキルイミダゾリン型ベタインなどが配合できる。両性界面活性剤は、液の安定性及び泥汚れ洗浄性の点で、好ましくは組成物中１〜２０質量％含有される
【００３２】
（ａ）成分と（ｃ）成分の質量比は、（ａ）成分を可溶解化し、且つ良好な洗浄力を得るために、（ａ）／（ｃ）＝１／１０００〜１／５、更に１／５００〜１／８、特に１／３００〜１／６が好ましい。
【００３３】
本発明の洗浄剤組成物は、（ｃ）成分として（ｂ）成分以外の界面活性剤を含有するが、更に優れた柔軟効果を維持する観点から、（ｃ−ｉ）成分として、−ＳＯ3Ｍ基、および／または−ＯＳＯ3Ｍ基〔Ｍ：対イオン〕を有する陰イオン界面活性剤を含有することが好ましい。
【００３４】
具体的には、アルキルベンゼンスルホン酸、アルキル（またはアルケニル）硫酸、ポリオキシアルキレンアルキル（またはアルケニル）エーテル硫酸、オレフィンスルホン酸、アルカンスルホン酸、α−スルホ脂肪酸、α−スルホ脂肪酸エステルおよびこれらの塩が好ましい。これらの中でも特に、炭素数１０〜２２、好ましくは１０〜１８、より好ましくは１２〜１８のアルキル基またはアルケニル基を有するアルキル（またはアルケニル）硫酸、炭素数１０〜２２、好ましくは１０〜１８、より好ましくは１２〜１８のアルキル基またはアルケニル基を有し、エチレンオキシド（以下、ＥＯと表記する）平均付加モル数が１〜６、好ましくは１〜４、特に好ましくは１〜３であるポリオキシエチレンアルキル（またはアルケニル）エーテル硫酸およびこれらの塩から選ばれる一種以上を配合することが好ましい。塩としては、ナトリウム塩、カリウム塩、アンモニウム塩、アルカノールアミン塩が貯蔵安定性の点から良好である。特にアルキルベンゼンスルホン酸塩、ポリオキシエチレンアルキル（又はアルケニル）エーテルスルホン酸塩が好ましい。
【００３５】
（ｃ−ｉ）成分の含有量は、組成物中、０．０５〜１０質量％、更に０．０７〜５質量％、特に０．１〜３質量％が好ましい。また、（ｂ）成分と（ｃ−ｉ）成分の比率が、モル比で（ｂ）／（ｃ−ｉ）＝０．３０〜９．０、更に０．５０〜５．０、特に０．５０〜１．５であることが、柔軟性・風合いの点から望ましい。
【００３６】
また、本発明の洗浄剤組成物では、（ａ）成分と、（ｂ）成分と（ｃ−ｉ）成分の合計［（ｂ）＋（ｃ−ｉ）］との質量比が、（ａ）／［（ｂ）＋（ｃ−ｉ）］＝０．０５〜５．０であることが好ましく、０．１０〜３．０がより好ましく、０．４０〜１．０が特に好ましい。
【００３７】
また、（ｃ）成分中、下記一般式（ｃ１）で表されるポリオキシアルキレンアルキルエーテル〔以下、（ｃ−ii）成分という〕を１０質量％以上の割合で含むことが好ましい。肌触り・柔軟性、洗浄性能の点で、この割合は２０質量％以上が好ましく、４０質量％以上がより好ましく、６０質量％以上が更に好ましく、８０質量％以上がより更に好ましく、９０質量％以上が特に好ましい。
Ｒ8-Ｏ-（Ｒ9Ｏ）n-Ｈ      （ｃ１）
（式中、Ｒ8は炭素数８〜２２のアルキル基、Ｒ9は炭素数２〜３のアルキレン基、ｎはオキシアルキレン基の平均付加モル数を示す３〜３０の数であり、ｎ個のＲ9は同一でも異なっていても良い。）
【００３８】
（ｃ−ii）成分は、肌触り・柔軟性、洗浄性能の点で、Ｒ8が炭素数１０〜１８、更に１２〜１４のアルキル基で、Ｒ9がエチレン基で、ｎが３〜１６、更に５〜１２であるポリオキシアルキレンアルキルエーテルが好ましい。Ｒ8はこれら炭素数のアルキル基を含む混合組成であっても良い。
【００３９】
なお洗浄性を高める観点から、（ｃ）成分は、再汚染防止性の点で陰イオン界面活性剤、皮脂汚れ洗浄性の点で非イオン界面活性剤を主界面活性剤として使用することが好ましい。
【００４０】
更に本発明の洗浄剤組成物には、次の成分を配合してもよい。即ち、アルカリ金属の水酸化物、ケイ酸塩、炭酸ナトリウム等の炭酸塩、及びアルカノールアミン等のアルカリ剤０．０１〜１０質量％；エタノール等のアルコール類、エチレングリコール及びプロピレングリコール等のグリコール類、パラトルエンスルホン酸、安息香酸塩（防腐剤としての効果もある）並びに尿素等の減粘剤及び可溶化剤０．０１〜３０質量％；ポリオキシアルキレンベンジルエーテル、ポリオキシアルキレンフェニルエーテル等の相調整剤及び洗浄力向上剤０．０１〜１０質量％；ニトリロ三酢酸塩、エチレンジアミン四酢酸塩、イミノ二酢酸塩、ジエチレントリアミン五酢酸塩、グリコールエーテルジアミン四酢酸塩、ヒドロキシエチルイミノ二酢酸塩及びトリエチレンテトラミン六酢酸塩等のアミノポリ酢酸塩、マロン酸、コハク酸、ジグリコール酸、リンゴ酸、酒石酸及びクエン酸等の酸の塩等の金属イオン捕捉剤０．１〜２０質量％；ポリアクリル酸、ポリマレイン酸、カルボキシメチルセルロース、平均分子量５０００以上のポリエチレングリコール、無水マレイン酸-ジイソブチレン共重合体、無水マレイン酸-メチルビニルエーテル共重合体、無水マレイン酸-イソブチレン共重合体、無水マレイン酸-酢酸ビニル共重合体、ナフタレンスルホン酸塩ホルマリン縮合物、及び特開昭５９-６２６１４号公報の請求項１〜２１（１頁３欄５行〜３頁４欄１４行）記載のポリマー等の再汚染防止剤及び分散剤０．０１〜１０質量％；ポリビニルピロリドン等の色移り防止剤０．０１〜１０質量％；過炭酸ナトリウム又は過硼酸ナトリウム等の漂白剤０．０１〜１０質量％；テトラアセチルエチレンジアミン、特開平６-３１６７００号公報の一般式（Ｉ-２）〜（Ｉ-７）で表される漂白活性化剤等の漂白活性化剤０．０１〜１０質量％；アミラーゼ、プロテアーゼ、リパーゼ及びセルラーゼ等の酵素０．００１〜２質量％；塩化カルシウム、硫酸カルシウム、ギ酸、ホウ酸（ホウ素化合物）等の酵素安定化剤０．００１〜２質量％；チノパールＣＢＳ（チバガイギー社製）やホワイテックスＳＡ（住友化学社製）等の蛍光染料０．００１〜１質量％；シリカ、（ａ）成分以外のシリコーン化合物等の消泡剤０．０１〜２質量％；ブチルヒドロキシトルエン、ジスチレン化クレゾール、亜硫酸ナトリウム及び亜硫酸水素ナトリウム等の酸化防止剤０．０１〜２質量％；青味付け剤；香料；抗菌防腐剤等が挙げられる。
【００４１】
本発明の組成物のＪＩＳ  Ｋ３３６２：１９９８記載の方法による２０℃におけるｐＨが、組成物が粉末もしくは固体の場合、０．１質量％水溶液のｐＨが６〜１０、液体の場合、原液のｐＨが６〜１０であることが好ましく、いずれの場合も、被洗浄物の変形・変質防止の点で、６〜８が好ましく、６．５〜８がより好ましく、７〜７．８が更に好ましく、７〜７．６が特に好ましい。
【００４２】
本発明の洗浄剤組成物は、錠剤、粉末、ペースト、液体等のいずれの形態でも良いが、溶解性、使い易さの点で液体が好ましい。本発明の組成物が液体である場合、２０℃における粘度は、取り扱いの容易さの点で５〜４００ｍＰａ・ｓが好ましく、１０〜１００ｍＰａ・ｓがより好ましく、１０〜５０ｍＰａ・ｓが更に好ましい。粘度調整剤によりこのような範囲になるように調整することが好ましい。なお、これらの粘度は、Ｂ型粘度計（（株）東京計器製、VISCOMETER MODEL DVM-B）を用い、回転数６０ｒ／ｍｉｎ、測定時間６０秒の条件で測定されたものである。
【００４３】
粘度調整剤としては、減粘剤としてエタノール、メタノール、プロパノール、グリセリン、エチレングリコール、プロピレングリコール等の炭素数１〜４の低級アルコール、トルエンスルホン酸（塩）、キシレンスルホン酸（塩）等を用いることができ、増粘剤として水溶性高分子、無機電解質を用いることができる。水溶性高分子としては、ポリマレイン酸、ポリイタコン酸、ビニルメチルエーテル-無水マレイン酸共重合物、ポリプロピレングリコール（分子量１００〜１０００）等が挙げられる。無機電解質としては、硫酸ナトリウム、塩化ナトリウム、塩化カリウム等が挙げられる。
【００４４】
本発明の洗浄剤組成物は、特に、肌触り・柔軟性、洗浄性能の点で、組成物中に含まれる界面活性剤は、ＪＩＳ  Ｋ３３６２：１９９８記載の界面活性剤相当分が１０〜６０質量％、更に１２〜５５質量％、特に１５〜４５質量％であることが好ましい。
【００４５】
また、液体洗浄剤組成物の場合は、外観が透明であることが好ましい。透明度は光の透過率で表される。水に対する透過率が８０％以上、好ましくは９０％以上、９５％以上が更に好ましい。透過率の測定は、日本電色工業（株）ＮＤＨ２００を用い、水をブランクとしたときの全光線透過光を測定することにより、求められる。透明な外観を得るためにも、（ｃ）成分を含有することが好ましい。
【００４６】
本発明の洗浄剤組成物は、繊維製品用として好適であり、具体的にはウールや化繊、木綿等のニット製品やおしゃれ着、肌着等、幅広い衣料用として好適である。
【００４７】
本発明の洗浄剤組成物は、洗濯により被洗浄物に肌触りの向上効果及び／又は柔軟性の向上効果を付与するために用いることができる。このため、柔軟性能（繊維製品に対する柔軟性の付与効果を有する）を具備する洗浄剤組成物として使用できる。
【実施例】
【００４８】
実施例１
下記に示す成分を用い、表１に示す組成の液体洗浄剤組成物を調製した。得られた組成物を用いて下記方法で肌触り・柔軟性能の評価を行った。結果を表１に示す。なお、表１中、本発明品１〜１２の透過率は９５％以上であった（測定方法は前記の通り）。
【００４９】
＜配合成分＞
・ａ−１：カルボキシ変性シリコーン  信越化学工業社製  Ｘ−２２−３７０１Ｅ
・ａ−２：カルボキシ変性シリコーン  東レダウシリコーン社製  ＢＹ１６−８８０
・ａ’−１：下記一般式（ｃ）で表されるアミノ変性シリコーンであって、Ｒ＝Ｒ1c＝ＣＨ3、ｌ＝３００、ｍ＝７、ｎ＝４、Ａ：（イ）-(ＣＨ2)3-ＮＨ-ＣＯ-ＣＨ2-Ｏ-(Ｃ2Ｈ4Ｏ)5-Ｃ12Ｈ25及び（ロ）-(ＣＨ2)3-ＮＨ2の混合基、（イ）／（ロ）＝７／３（モル比）、Ｂ：-(ＣＨ2)3-Ｏ-(Ｃ2Ｈ4Ｏ)10-ＣＨ3、であるシリコーン化合物
【００５０】
【化４】
2007197687.tif 000004
【００５１】
・ａ’−２：ポリジメチルシリコーン
・ｂ−１：ステアリン酸アミドプロピルジメチルアミン
・ｃ−１：炭素数１０〜１４の直鎖第１級アルコールにＥＯを平均１２モル付加させたポリオキシエチレンアルキルエーテル
・ｃ−２：炭素数１０〜１４の第２級アルコールにＥＯを平均７モル付加させたポリオキシエチレンアルキルエーテル
・ｃ−３：炭素数１０〜１４の第２級アルコールにＥＯを平均３モル付加させたポリオキシエチレンアルキルエーテル
・ｃ−４：炭素数１０〜１４の直鎖第１級アルコールにＥＯを平均３モル、ＰＯを平均２モル、ＥＯを平均で５モルの順にブロック付加させたポリオキシアルキレンアルキルエーテル
・ｃ−５：炭素数１２〜１４のヤシ油系脂肪酸
・ｃ−６：アルキル基が炭素数１０〜１４の直鎖アルキルベンゼンスルホン酸
・ｃ−７：ポリオキシエチレンアルキルエーテル硫酸ナトリウム（アルキル基の炭素数１２、平均ＥＯ付加モル数３）
・ｃ−８：デシルグルコシド（マイドール１０：花王（株）製）
・高分子化合物：ペンテン／マレイン酸コポリマー（モル比５０／５０、平均分子量１万）
・ポリエチレングリコールモノフェニルエーテル：平均ＥＯ付加モル数３
・ポリエチレングリコール：重量平均分子量１０００のポリエチレングリコール
・酵素：デュラザイム１６．０Ｌ（プロテアーゼ、ノボノルディスクバイオインダストリー（株）製）
・蛍光染料：チノパールＣＢＳ-Ｘ（日本チバガイギー（株）製）
＊上記において、ＥＯはエチレンオキサイド、ＰＯはプロピレンオキサイドである。また、表中のｐＨ調整量とは、表中のｐＨ（測定方法は前記の通り）とするために必要な量である。なお、比較品５、６、８では、ａ’−１又はａ’−２を（ａ）成分として（ａ）／（ｂ）質量比及び（ａ）／［（ｂ）+（ｃ−ｉ）］を示した。
【００５２】
＜肌触り・柔軟性評価方法＞
全自動洗濯機（東芝ＡＷ-Ｄ８０２ＶＰ）の洗濯槽に水道水３０リットルを入れ、ウールジャージ１２０ｇ（表中、ウールと表示）、アクリルモスリン８０ｇ（表中、アクリルと表示）、ポリエステルジャージ７０ｇ（表中、ポリエステルと表示）、綿ニット７０ｇ（（株）谷頭商店製）（表中、木綿と表示）を入れる。更に表１の液体洗浄剤組成物を４０ｍｌ入れ、ドライコースにて洗濯する。尚、水道水は２０℃に調整して用いた。洗濯終了後、２０℃、６５％ＲＨの恒温恒湿室に２４時間静置乾燥した。乾燥後の試験布を、肌触り・柔軟性それぞれについて、標準衣料用液体洗浄剤組成物（表中、標準洗剤と表示、組成を表１に合わせて示す）で同様に処理した試験布と対比して、下記の基準で熟練したパネラー５名により評価した。評価点は５名の合計点とした。結果を表１に示す。
−２点：標準衣料用液体洗浄剤組成物と比較して、肌触り・柔軟性が著しく悪い
−１点：標準衣料用液体洗浄剤組成物と比較して、肌触り・柔軟性が悪い
０点：標準衣料用液体洗浄剤組成物と比較して、肌触り・柔軟性が変わらない
１点：標準衣料用液体洗浄剤組成物と比較して、肌触り・柔軟性が良い
２点：標準衣料用液体洗浄剤組成物と比較して、肌触り・柔軟性が著しく良い
【００５３】
【表１】
2007197687.tif 000005
【００５４】
実施例２
実施例１で調製した一部の液体洗浄剤組成物、及び下記表２の液体洗浄剤組成物を用いて下記方法で洗浄性能を評価した。結果を表２に示す。表中の成分は表１と同じものである。
【００５５】
＜洗浄性能評価法＞
・人工汚垢布の調製
四塩化エチレン７５Ｌに、下記に示す組成の有機汚垢を１５３１．２ｇ、及び同じく下記に示す組成のカーボンペースト２４０ｇを加えて１０分間超音波分散を行い、この浴中に幅１０ｃｍの清浄布（ウールモスリン）を浸し、汚染後風乾して汚染布とする。この汚染布を１０ｃｍ×１０ｃｍに裁断し、洗浄試験に供した。
【００５６】
なお、有機汚垢の組成は、綿実油４４．８％、コレステロール１０．８％、オレイン酸１０．８％、パルミチン酸７．８％、セチルアルコール２．０％、固形パラフィン５．１％、流動パラフィン５．１％（合計８６．４％）であり、カーボンペーストの組成は旭カーボンブラック０．２％、綿実油１３．４％（合計１３．６％）である。ここで、％は、有機汚垢とカーボンペーストの混合物における割合である。
【００５７】
１２０ｃｍ×４０ｃｍの清浄布（ウールモスリン）を２つ折り（６０ｃｍ×４０ｃｍ）にして筒状に縫い合わせ、片面・表面側中央部分に上記人工汚垢布を３枚縫い付けた試験布を作成した。
【００５８】
・洗浄処理
全自動洗濯機（東芝ＡＷ-Ｄ８０２ＶＰ）の洗濯槽に水道水３０リットルを入れ、上記試験布を３枚（人工汚垢布９枚）入れる。更に表２の液体洗浄剤組成物を４０ｍｌ入れ、ドライコース又は標準コースにて洗濯する。尚、水道水は２０℃に調整して用いた。洗濯終了後、２０℃６５％ＲＨの恒温恒湿室に２４時間静置乾燥した。
【００５９】
・洗浄性能評価
洗浄後の人工汚垢布反射率を測定し（λ＝５５０μｍ）、次式により洗浄率を計算し、下記の基準で評価した。この時、９枚の人工汚垢布のうち、洗浄率の高いサンプル２枚及び低いサンプル２枚を除外し、残り５枚の平均値で評価した。
洗浄率(％)＝(洗浄後の反射率−洗浄前の反射率)／(原布の反射率−洗浄前の反射率)×１００
【００６０】
○：洗浄率４０％以上
△：洗浄率２０％以上４０％未満
×：洗浄率２０％未満
【００６１】
【表２】
2007197687.tif 000006